(57)【要約】【課題】  簡単な操作により確実にカラオケ装置の動作状態を変更し得るカラオケシステムを提供する。【解決手段】  電子早見本装置２２のクレイドル６８への着脱に応じてカラオケ装置１６の動作状態を変更する動作状態変更手段１０４を含むことから、利用者の誤操作を十分に防ぐことができると共に、前記電子早見本装置２２の前記クレイドル６８への着脱というルーチン化し易い簡便な操作をトリガとして確実に前記カラオケ装置１６の動作状態を変更することができる。すなわち、簡単な操作により確実にカラオケ装置１６の動作状態を変更し得るカラオケシステム１０を提供することができる。【選択図】  図５
2006251115.tif 000002
【特許請求の範囲】
【請求項１】
複数の演奏曲のうちから選択される所定の演奏曲を出力させるカラオケ装置と、
該カラオケ装置を遠隔操作するために、所定の画像を表示させると共に利用者の接触に応じて該カラオケ装置への入力を行うタッチパネルディスプレイを有する電子早見本装置と、
該電子早見本装置を着脱可能に構成されたクレイドルと
を、備えたカラオケシステムであって、
前記電子早見本装置の前記クレイドルへの着脱に応じて前記カラオケ装置の動作状態を変更する動作状態変更手段を含むことを特徴とするカラオケシステム。
【請求項２】
前記電子早見本装置は、前記クレイドルへの着脱が行われたか否かを判定する着脱判定手段と、
該着脱判定手段の判定が肯定される場合には、前記カラオケ装置の動作状態を変更するための動作状態変更信号を出力する信号出力手段と
を、含むものである請求項１のカラオケシステム。
【請求項３】
前記動作状態変更手段は、前記電子早見本装置の前記クレイドルへの着脱に応じて前記カラオケ装置における演奏曲の予約を初期化するものである請求項１又は２のカラオケシステム。
【請求項４】
前記動作状態変更手段は、前記電子早見本装置の前記クレイドルへの着脱に応じて前記カラオケ装置におけるモード設定を初期化するものである請求項１又は２のカラオケシステム。
【請求項５】
前記動作状態変更手段は、前記電子早見本装置の前記クレイドルへの着脱に応じて前記カラオケ装置の電源をオフとするものである請求項１又は２のカラオケシステム。
【発明の詳細な説明】
【技術分野】
【０００１】
本発明は、複数の演奏曲のうちから選択される所定の演奏曲を出力させるカラオケ装置、そのカラオケ装置を遠隔操作するための電子早見本装置、及びその電子早見本装置を着脱可能に構成されたクレイドルを備えたカラオケシステムの改良に関する。
【背景技術】
【０００２】
複数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された複数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
上記カラオケ装置では、通常、所定の入力操作により演奏曲の予約が行われて予約曲リストが作成され、その予約曲リストの演奏順に従って逐次演奏曲の出力が行われる。ところで、カラオケボックス等の店舗においては、所定時間毎にカラオケ装置を利用する利用者が入れ替わることから、その利用者の入れ替わりに際してそのカラオケ装置に記憶された上記演奏曲の予約やモード設定を初期化したり、場合によっては一端電源をオフとする等、カラオケ装置の動作状態を変更するための操作を行う必要がある。斯かる操作は利用者の誤操作を避けるために得てして煩雑であることから、上記演奏曲の予約取消を簡単な操作により行うための技術が提案されている。例えば、特許文献１に記載された電子目次本機能付カラオケリモコン装置がそれである。
【０００４】
【特許文献１】特開２００３−１３１６７１号公報
【０００５】
しかし、前記従来の技術では、利用者の誤操作を十分には防ぐことができず、また、店員側が操作し忘れることにより利用者入れ替わり後のカラオケ装置に演奏曲の予約やモード設定が残される可能性があった。このため、簡単な操作により確実にカラオケ装置の動作状態を変更し得る技術の開発が求められていた。
【発明の開示】
【発明が解決しようとする課題】
【０００６】
本発明は、以上の事情を背景として為されたものであり、その目的とするところは、簡単な操作により確実にカラオケ装置の動作状態を変更し得るカラオケシステムを提供することにある。
【課題を解決するための手段】
【０００７】
斯かる目的を達成するために、本発明の要旨とするところは、複数の演奏曲のうちから選択される所定の演奏曲を出力させるカラオケ装置と、そのカラオケ装置を遠隔操作するために、所定の画像を表示させると共に利用者の接触に応じてそのカラオケ装置への入力を行うタッチパネルディスプレイを有する電子早見本装置と、その電子早見本装置を着脱可能に構成されたクレイドルとを、備えたカラオケシステムであって、前記電子早見本装置の前記クレイドルへの着脱に応じて前記カラオケ装置の動作状態を変更する動作状態変更手段を含むことを特徴とするものである。
【発明の効果】
【０００８】
このように、本発明によれば、前記電子早見本装置の前記クレイドルへの着脱に応じて前記カラオケ装置の動作状態を変更する動作状態変更手段を含むことから、利用者の誤操作を十分に防ぐことができると共に、前記電子早見本装置の前記クレイドルへの着脱というルーチン化し易い簡便な操作をトリガとして確実に前記カラオケ装置の動作状態を変更することができる。すなわち、簡単な操作により確実にカラオケ装置の動作状態を変更し得るカラオケシステムを提供することができる。
【０００９】
ここで、好適には、前記電子早見本装置は、前記クレイドルへの着脱が行われたか否かを判定する着脱判定手段と、その着脱判定手段の判定が肯定される場合には、前記カラオケ装置の動作状態を変更するための動作状態変更信号を出力する信号出力手段とを、含むものである。このようにすれば、実用的な態様で前記カラオケ装置の動作状態を変更することができるという利点がある。
【００１０】
また、好適には、前記動作状態変更手段は、前記電子早見本装置の前記クレイドルへの着脱に応じて前記カラオケ装置における演奏曲の予約を初期化するものである。このようにすれば、簡単な操作により確実にカラオケ装置の演奏曲の予約を初期化することができるという利点がある。
【００１１】
また、好適には、前記動作状態変更手段は、前記電子早見本装置の前記クレイドルへの着脱に応じて前記カラオケ装置におけるモード設定を初期化するものである。このようにすれば、簡単な操作により確実にカラオケ装置のモード設定を初期化することができるという利点がある。
【００１２】
また、好適には、前記動作状態変更手段は、前記電子早見本装置の前記クレイドルへの着脱に応じて前記カラオケ装置の電源をオフとするものである。このようにすれば、簡単な操作により確実にカラオケ装置の電源をオフとすることができるという利点がある。
【００１３】
以下、本発明の好適な実施例を図面に基づいて詳細に説明する。
【実施例】
【００１４】
図１は、本発明の一実施例であるカラオケシステム１０を説明する概略図である。この図１に示すように、本実施例のカラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のセンタ装置２０に接続されており、そのセンタ装置２０と上記カラオケ装置１６ａの相互間で情報の通信が可能とされている。このセンタ装置２０は、カラオケ情報、背景映像情報、曲間情報等のデジタルコンテンツ（Digital Content）の保管や入出力管理等を行うサーバであり、上記通信回線１８を介してマスターコマンダであるカラオケ装置１６ａに定期的にコンテンツの配信を行うと共に、そのカラオケ装置１６ａからの要求に応じて所定の機能制御プログラムを送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１５】
図２は、上記カラオケ装置１６の構成を例示するブロック線図である。この図２に示すように、上記カラオケ装置１６は、ＣＲＴ等の映像表示装置３０と、映像情報デコーダ３２と、ビデオミキサ３４と、アンプミキサ３６と、スピーカ３８と、マイクロフォン４０と、操作パネル４２と、中央演算処理装置であるＣＰＵ４４と、ＲＯＭ４６と、ＲＡＭ４８と、記憶装置であるハードディスク５０と、モデム５２と、ＬＡＮポート５４と、ＣＲＴコントローラ５６と、上記操作パネル４２等からの入力信号を処理する入出力インターフェイス５８と、音源であるシンセサイザ６０と、上記電子早見本装置２２やリモコン装置６６等の入力装置からのリモコン信号を受信するためのリモコン受信部６２とを、備えて構成されている。
【００１６】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記リモコン装置６６や電子早見本装置２２等により所定のカラオケ演奏曲が選曲された場合、その選曲されたカラオケ演奏曲を上記ＲＡＭ４８に設けられた予約曲リストに登録したり、その予約曲リストの演奏順に従って上記ハードディスク５０から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記ＣＲＴコントローラ５６へ送ったり、選曲時には曲名文字映像を生成して上記ＣＲＴコントローラ５６へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１８を介した前記センタ装置２０との間の情報通信制御等の基本的な制御に加え、前記電子早見本装置２２からの指令に応じて後述する動作状態変更制御を実行する。
【００１７】
前記操作パネル４２は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４２の一部機能を遠隔で実行するための入力装置として機能するリモコン装置６６が備えられており、前記リモコン受信部６２は、そのリモコン装置６６から送信されるリモコン信号を受信して前記ＣＰＵ４４へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００１８】
前記映像情報デコーダ３２は、利用者が歌詞を参照しながら歌を歌う際に前記ハードディスク５０に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３２により再生された背景映像は、前記ビデオミキサへ送られる。また、前記ＣＲＴコントローラ５６は、前記ＣＰＵ４４において生成された歌詞文字映像等の文字映像（テロップ）を出力する文字映像出力装置であり、前記ビデオミキサ３４は、前記ＣＰＵ４４において生成され且つ前記ＣＲＴコントローラ５６から出力される文字映像と、前記映像情報デコーダ３２により再生される背景映像とを合成して前記映像表示装置３０に表示させる映像合成装置である。
【００１９】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。そのアンプミキサ３６では、送られてきた音楽信号と前記マイクロフォン４０を介して入力される利用者の歌声とがミキシングされ、それらの信号が電気的に増幅されて前記スピーカ３８から出力される。
【００２０】
前記モデム５２は、前記カラオケ装置１６を公衆電話回線等による通信回線１８に接続するための装置であり、前記ＣＰＵ４４から出力されるディジタル信号をアナログ信号に変換して前記通信回線１８に送り出すと共に、その通信回線１８を介して伝送されるアナログ信号をディジタル信号に変換して前記ＣＰＵ４４に供給する処理を行う。なお、このモデム５２は、マスターコマンダとして機能するカラオケ装置１６ａには必要とされるが、前記センタ装置２０との間で情報の通信を行わない他のカラオケ装置１６には必ずしも設けられなくともよい。
【００２１】
前記ＬＡＮポート５４は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の処理を実行させるための指令を送信したりというように、電波を介して前記カラオケ装置１６と電子早見本装置２２との間における相互の情報のやりとりが実行される。
【００２２】
前記ハードディスク５０には、カラオケ演奏曲を出力させるための多数のカラオケ情報を記憶するカラオケデータベース、背景映像を出力させるための複数の背景映像情報を記憶する背景映像データベース、曲間情報を出力させるための複数の曲間情報を記憶する曲間情報データベース等の各種データベースが設けられている。カラオケボックス等の店舗にそれぞれ備えられた複数のカラオケ装置１６のうちマスターコマンダとして機能するカラオケ装置１６ａは、前記モデム５２を介して前記通信回線１８に接続されており、前記複数のカラオケ装置１６によって常に新しい曲が演奏可能とされるように、或いは所定の背景映像や曲間情報が出力可能とされるように、随時新たなカラオケ情報、背景映像情報、曲間情報等が前記センタ装置２０から前記通信回線１８を介して配信され、前記ハードディスク５０のカラオケデータベース、背景映像データベース、曲間情報データベース等に記憶される。また、そのようにして前記センタ装置２０から情報を取得したカラオケ装置１６ａとその他のカラオケ装置１６との間で前記ＬＡＮ２４を介した通信が行われることにより、各カラオケ装置１６のハードディスク５０に記憶される情報が共有され、カラオケデータベース、背景映像データベース、曲間情報データベース等の内容が等価なものとされる。
【００２３】
図３は、前記電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ７０を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル６８を備えている。前記電子早見本装置２２は、そのクレイドル６８に取り付けられた状態又はそのクレイドル６８から取り外された状態で用いられ、取り付けられた状態においては、そのクレイドル６８及びＬＡＮ２４を介して前記カラオケ装置１６に有線接続されるようになっている。また、上記クレイドル６８から取り外された状態においては、上記アクセスポイント２６及びＬＡＮ２４を介して前記カラオケ装置１８に無線接続されるようになっている。
【００２４】
図４は、前記電子早見本装置２２の構成を説明するブロック線図である。この図４に示すように、前記電子早見本装置２２は、上記タッチパネルディスプレイ７０に所定の映像を表示させる表示装置７２と、その表示装置７２による表示を制御する表示制御部７４と、利用者の指等によるタッチパネルディスプレイ７０への接触により入力を行うタッチパネル７６と、そのタッチパネル７６による入力を制御する入力制御部７８と、中央演算処理装置であるＣＰＵ８０と、ＲＯＭ８２と、ＲＡＭ８４と、フラッシュＲＯＭ等の記憶部８６と、インターフェイス８８と、リモコン送信部９０と、無線ＬＡＮ通信部９２と、コネクタ９４とを、備えて構成されている。上記クレイドル６８には、前記電子早見本装置２２と電気的な接続を可能とするためのコネクタ９６が設けられており、前記電子早見本装置２２は、前記クレイドル６８に載置されて上記コネクタ９４及び９６が接触させられることで、上記インターフェイス８８を介して前記クレイドル６８乃至はＬＡＮ２４に接続されるようになっている。また、上記記憶部８６には、前記カラオケ装置１６のカラオケデータベースに記憶された多数のカラオケ情報それぞれに対応して曲名、アーティスト名、歌詞の歌い出し部分等の選曲案内情報を選曲番号毎に記憶する演奏曲データベース等が設けられている。
【００２５】
上記ＣＰＵ８０は、上記ＲＡＭ８４の一時記憶機能を利用しつつ上記ＲＯＭ８２に予め記憶された所定のプログラムに基づいて電子情報を処理・制御する所謂コンピュータであり、上記記憶部８６から選曲案内情報を読み出し、上記表示装置７２を介してその選曲案内情報に基づく所定の案内映像を上記タッチパネルディスプレイ７０に表示させたり、そのタッチパネルディスプレイ７０に表示された案内映像に従って上記タッチパネル７６による入力が行われた場合、カラオケ演奏曲を予約するための選曲信号（選曲予約信号）を上記無線ＬＡＮ通信部９２等を介して前記カラオケ装置１６に送信する等の基本的な制御に加えて、前記クレイドル６８への着脱に応じて以下に詳述する動作状態変更信号出力制御を実行する。
【００２６】
図５は、前記カラオケ装置１６のＣＰＵ４４及び電子早見本装置２２のＣＰＵ８０に備えられた制御機能を説明する機能ブロック線図である。この図５に示す着脱判定手段１００及び信号出力手段１０２は、前記電子早見本装置２２のＣＰＵ８０に機能的に備えられたものであり、動作状態変更手段１０４は、前記カラオケ装置１６のＣＰＵ４４に機能的に備えられたものである。
【００２７】
着脱判定手段１００は、前記クレイドル６８への前記電子早見本装置２２の着脱が行われたか否かを判定する。具体的には、前記電子早見本装置２２が前記クレイドル６８上に載置されたか否かを判定する。或いは、前記電子早見本装置２２が前記クレイドル６８上から取り外されたか否かを判定する。この判定は、好適には、前記電子早見本装置２２に備えられたコネクタ９４と、前記クレイドル６８に備えられたコネクタ９６の電気的な接続／非接続を判定することにより行われる。また、好適には、前記電子早見本装置２２及びクレイドル６８の何れか一方乃至は両方に近接センサ等の判定装置を設け、斯かる判定装置により着脱の有無を判定する態様も考えられる。
【００２８】
信号出力手段１０２は、上記着脱判定手段１００の判定が肯定される場合、すなわち前記クレイドル６８への前記電子早見本装置２２の着脱が行われたと判定される場合には、前記カラオケ装置１６の動作状態を変更するための動作状態変更信号を出力する。この動作状態変更信号は、例えば、所定のパルス信号であり、前記電子早見本装置２２の無線ＬＡＮ通信部９２から無線にて送信され、前記アクセスポイント２６を介して前記ＬＡＮ２４により前記カラオケ装置１６へ供給される。或いは、前記クレイドル６８を介して前記ＬＡＮ２４により前記カラオケ装置１６へ供給される。上記動作状態変更信号は、好適には、前記カラオケ装置１６との対応付情報を含むものである。例えば、カラオケボックス等ではカウンタにて任意の電子早見本装置２２が利用者に渡され、所定の個室１４に設置されたカラオケ装置１６に対して用いられるという利用形態が多いことから、前記カラオケ装置１６と電子早見本装置２２との間で対応付及び解除が適宜行われる。上記対応付情報とは、そのようなカラオケ装置１６と電子早見本装置２２との間の対応付けに関する情報であり、上記動作状態変更信号が斯かる対応付け情報を含むことで、前記電子早見本装置２２と対応付けられた所定のカラオケ装置２２を対象として上記動作状態変更信号を送信することができる。
【００２９】
動作状態変更手段１０４は、前記電子早見本装置２２の前記クレイドル６８への着脱に応じて前記カラオケ装置１６の動作状態を変更する。具体的には、上記信号出力手段１０２により出力された動作状態変更信号を上記ＬＡＮ２４等を介して受信した場合に前記カラオケ装置１６の動作状態を変更する。好適には、自局を対象とする対応付け情報を含む動作状態変更信号を受信した場合にのみ前記カラオケ装置１６の動作状態を変更する。
【００３０】
上記動作状態変更手段１０４は、好適には、前記電子早見本装置２２の前記クレイドル６８への着脱に応じて前記カラオケ装置１６における演奏曲の予約を初期化する制御を実行する。好適には、自局を対象とする対応付け情報を含む動作状態変更信号を受信した場合には、前記ＲＡＭ４８に記憶された予約曲リストを初期化する。すなわち、その時点で予約されている全ての演奏曲予約を取り消す予約オールクリア制御を実行する。
【００３１】
また、前記動作状態変更手段１０４は、好適には、前記電子早見本装置２２の前記クレイドル６８への着脱に応じて前記カラオケ装置１６におけるモード設定を初期化する制御を実行する。このモード設定とは、前記カラオケ装置１６によるカラオケ演奏に際して所定の採点制御を行う採点モード設定や、所定のゲームを実行するゲームモード設定等である。好適には、自局を対象とする対応付け情報を含む動作状態変更信号を受信した場合には、その時点におけるモード設定を初期化してノーマルの状態に戻す。
【００３２】
前述のように、前記カラオケ装置１６の利用に際して利用者に貸与された電子早見本装置２２は、その利用者によるカラオケ装置１６の利用終了に際してカウンタに返却される。この返却された電子早見本装置２２がカウンタに設置された前記クレイドル６８上に載置されると、前記信号出力手段１０２から動作状態変更信号が出力される。そして、返却された電子早見本装置２２と対応付けられたカラオケ装置１６にその動作状態変更信号が前記ＬＡＮ２４等を介して届けられると、そのカラオケ装置１６における演奏曲の予約やモード設定等が初期化される。このようにして、利用者の入れ替わりに際して、店員はカウンタに居ながらにして前記カラオケ装置１６に記憶された演奏曲の予約やモード設定等を初期化できる。また、前記電子早見本装置２２はカウンタにおいて常時クレイドル６８上に載置されて充電されるものであることから、店員側が操作し忘れることにより利用者入れ替わり後のカラオケ装置１６に演奏曲の予約やモード設定等が残されるのを好適に防止することができる。
【００３３】
また、前記動作状態変更手段１０４は、好適には、自局を対象とする対応付け情報を含む動作状態変更信号を受信した場合には、前記カラオケ装置１６の電源をオフとする制御を実行する。或いは、前記カラオケ装置１６の動作を一時的な休止状態（スリープ乃至はスタンバイ）とする動作休止制御も考えられる。この態様では、利用者の入れ替わりに際して、店員はカウンタに居ながらにして前記カラオケ装置１６の動作を休止状態乃至は電源オフ状態とすることができ、利用者が存在しない個室１４におけるカラオケ装置１６による無駄な電力の消費好適に防止することができる。
【００３４】
図６は、前記電子早見本装置２２のＣＰＵ８０による動作状態変更信号出力制御について説明するフローチャートであり、所定の周期で繰り返し実行されるものである。
【００３５】
先ず、前記着脱判定手段１００に対応するステップ（以下、ステップを省略する）ＳＡ１において、前記電子早見本装置２２がクレイドル６８上に載置されたか否かが判断される。このＳＡ１の判断が否定される場合には、それをもって本ルーチンが終了させられるが、ＳＡ１の判断が肯定される場合には、前記信号出力手段１０２の動作に対応するＳＡ２において、その時点において対応付けられているカラオケ装置１６の動作状態を変更するための動作状態変更信号（予約リセット信号）が前記ＬＡＮ２４等を介してそのカラオケ装置１６へ送信される。次に、ＳＡ３において、その時点において対応付けられているカラオケ装置１６との対応付け情報が初期化されてくくりつけが解除された後、本ルーチンが終了させられる。
【００３６】
図７は、前記カラオケ装置１６のＣＰＵ４４による動作状態変更制御について説明するフローチャートであり、所定の周期で繰り返し実行されるものである。
【００３７】
先ず、ＳＢ１において、前記電子早見本装置２２から自局を対象とする動作状態変更信号（予約リセット信号）が前記ＬＡＮ２４等を介して受信されたか否かが判断される。このＳＢ１の判断が否定される場合には、それをもって本ルーチンが終了させられるが、ＳＢ１の判断が肯定される場合には、前記動作状態変更手段１０４の動作に対応するＳＢ２において、前記ＲＡＭ４８に記憶された予約曲リストが初期化された後、本ルーチンが終了させられる。
【００３８】
このように、本実施例によれば、前記電子早見本装置２２の前記クレイドル６８への着脱に応じて前記カラオケ装置１６の動作状態を変更する動作状態変更手段１０４（ＳＢ２）を含むことから、利用者の誤操作を十分に防ぐことができると共に、前記電子早見本装置２２の前記クレイドル６８への着脱というルーチン化し易い簡便な操作をトリガとして確実に前記カラオケ装置１６の動作状態を変更することができる。すなわち、簡単な操作により確実にカラオケ装置１６の動作状態を変更し得るカラオケシステム１０を提供することができる。
【００３９】
また、前記電子早見本装置２２は、前記クレイドル６８への着脱が行われたか否かを判定する着脱判定手段１００（ＳＡ１）と、その着脱判定手段１００の判定が肯定される場合には、前記カラオケ装置１６の動作状態を変更するための動作状態変更信号を出力する信号出力手段１０２（ＳＡ２）とを、含むものであるため、実用的な態様で前記カラオケ装置１６の動作状態を変更することができるという利点がある。
【００４０】
また、前記動作状態変更手段１０４は、前記電子早見本装置２２の前記クレイドル６８への着脱に応じて前記カラオケ装置１６における演奏曲の予約を初期化するものであるため、簡単な操作により確実にカラオケ装置１６の演奏曲の予約を初期化することができるという利点がある。
【００４１】
また、前記動作状態変更手段１０４は、前記電子早見本装置２２の前記クレイドル６８への着脱に応じて前記カラオケ装置１６におけるモード設定を初期化するものであるため、簡単な操作により確実にカラオケ装置１６のモード設定を初期化することができるという利点がある。
【００４２】
また、前記動作状態変更手段１０４は、前記電子早見本装置２２の前記クレイドル６８への着脱に応じて前記カラオケ装置１６の電源をオフとするものであるため、簡単な操作により確実にカラオケ装置１６の電源をオフとすることができるという利点がある。
【００４３】
以上、本発明の好適な実施例を図面に基づいて詳細に説明したが、本発明はこれに限定されるものではなく、更に別の態様においても実施される。
【００４４】
例えば、前述の実施例において、前記信号出力手段１０２は、前記電子早見本装置２２のＣＰＵ８０に制御機能として備えられたものであったが、この信号出力手段１０２は、前記クレイドル６８に機能的に備えられたものであっても構わない。また、斯かるクレイドル６８に備えられた信号出力手段からの動作状態変更信号の送信に際して、前記電子早見本装置２２から対応付け情報を読み出してその動作状態変更信号に反映させることも考えられる。
【００４５】
また、前述の実施例では、各個室１４に備えられたカラオケ装置１６毎に１台の電子早見本装置２２が貸与される態様について説明したが、２台以上の電子早見本装置２２が所定のカラオケ装置１６に対して貸与されることも考えられる。この場合には、そのカラオケ装置１６に対応付けられた全ての電子早見本装置２２がクレイドル６８に載置されて初めてそれら複数の電子早見本装置２２のうち何れかの電子早見本装置２２から前記動作状態変更信号を出力させるといった態様も考えられる。
【００４６】
その他、一々例示はしないが、本発明はその趣旨を変更しない範囲内において種々の変更が加えられて実施されるものである。
【図面の簡単な説明】
【００４７】
【図１】本発明の一実施例であるカラオケシステムを説明する概略図である。
【図２】図１のカラオケシステムに備えられたカラオケ装置の構成を例示するブロック線図である。
【図３】図１のカラオケシステムに備えられた電子早見本装置の外観を大まかに示す斜視図である。
【図４】図３の電子早見本装置の構成を例示するブロック線図である。
【図５】図２のカラオケ装置のＣＰＵ及び図４の電子早見本装置のＣＰＵに備えられた制御機能を説明する機能ブロック線図である。
【図６】図４の電子早見本装置のＣＰＵによる動作状態変更信号出力制御について説明するフローチャートである。
【図７】図２のカラオケ装置のＣＰＵによる動作状態変更制御について説明するフローチャートである。
【符号の説明】
【００４８】
１０：カラオケシステム
１６：カラオケ装置
２２：電子早見本装置
６８：クレイドル
７０：タッチパネルディスプレイ
１００：着脱判定手段
１０２：信号出力手段
１０４：動作状態変更手段
【図１】
2006251115.tif 000003
【図２】
2006251115.tif 000004
【図３】
2006251115.tif 000005
【図４】
2006251115.tif 000006
【図５】
2006251115.tif 000007
【図６】
2006251115.tif 000008
【図７】
2006251115.tif 000009